(57)【要約】【課題】移動体端末の位置を特定する精度を下げることなく、位置登録エリアを広げる。【解決手段】端末からの呼び出し先である呼び出し先端末のエリア情報を読み出し部１１１がエリア記憶部１０２から読み出し、当該アクセスネットワーク以外のアクセスネットワークにて呼び出し先端末の位置を管理する他の端末位置管理サーバへ、要求部１２１が呼び出し先端末の位置登録エリアの検索を要求し、決定部１２２が、読み出し部１１１が読み出した位置登録エリアに配置された無線アクセス装置と要求部１２１の要求に対して送信されてきた位置登録エリアに配置された無線アクセス装置との重複する無線アクセス装置を呼び出し先の無線アクセス装置として決定し、決定した無線アクセス装置へ送信部１２３が呼び出し信号を送信する。【選択図】図２
2011109569.tif 000002
【特許請求の範囲】
【請求項１】
無線通信機能を持つ端末の位置を管理する端末位置管理サーバであって、
当該端末位置管理サーバが属するアクセスネットワークと接続された無線アクセス装置固有に付与された無線アクセス装置識別情報と、当該端末位置管理サーバが属するアクセスネットワークおよびそれ以外のアクセスネットワークにて端末の位置を識別するためにあらかじめ区分けされた複数の位置登録エリアのうち、前記無線アクセス装置が配置されている位置登録エリアを示すエリア情報とを対応付けて記憶する装置記憶部と、
前記端末が位置登録した前記位置登録エリアを示す前記エリア情報と該端末固有に付与された端末識別情報とを対応付けて記憶するエリア記憶部と、
前記端末が属するアクセスネットワークを示すアクセスネットワーク情報と該端末の端末識別情報とを対応付けて記憶するネットワーク記憶部と、
前記端末から該端末以外の他の端末である呼び出し先端末を呼び出すために送信された呼び出し信号を受信した際、前記呼び出し先端末のエリア情報を前記エリア記憶部から読み出す第１の読み出し部と、
前記呼び出し先端末の端末識別情報と対応付けられたアクセスネットワーク情報を前記ネットワーク記憶部から読み出す第２の読み出し部と、
前記第２の読み出し部が読み出したアクセスネットワーク情報が示すアクセスネットワークのうち、当該端末位置管理サーバが属するアクセスネットワーク以外のアクセスネットワークにて前記呼び出し先端末の位置を管理する他の端末位置管理サーバへ、前記呼び出し先端末の位置登録エリアの検索を要求する要求部と、
前記第１の読み出し部が読み出したエリア情報が示す位置登録エリアに配置された無線アクセス装置の第１の無線アクセス装置識別情報と、前記要求部の要求に対して送信されてきた位置登録エリアに配置された無線アクセス装置の第２の無線アクセス装置識別情報とを前記装置記憶部から読み出し、該読み出した第１および第２の無線アクセス装置識別情報のうち、互いに重複する無線アクセス装置識別情報が示す無線アクセス装置を呼び出し先の無線アクセス装置として決定する決定部と、
前記決定部が決定した無線アクセス装置へ前記呼び出し信号を送信する送信部とを有する端末位置管理サーバ。
【請求項２】
請求項１に記載の端末位置管理サーバにおいて、
前記決定部は、前記ネットワーク記憶部に当該端末位置管理サーバが属するアクセスネットワークを示すアクセスネットワーク情報以外で前記呼び出し先端末の端末識別情報に対応するアクセスネットワーク情報が記憶されていない場合、前記第１の読み出し部が読み出したエリア情報に応じた無線アクセス装置識別情報を前記装置記憶部から読み出し、該読み出した無線アクセス装置識別情報が示す無線アクセス装置を呼び出し先の無線アクセス装置として決定することを特徴とする端末位置管理サーバ。
【請求項３】
請求項１に記載の端末位置管理サーバにおいて、
前記要求部が前記他の端末位置管理サーバへ前記検索を要求してからの経過時間を計測するタイマを有し、
前記決定部は、前記タイマが計測した経過時間があらかじめ設定された時間を超えた場合、前記第１の読み出し部が読み出したエリア情報に応じた無線アクセス装置識別情報を前記装置記憶部から読み出し、該読み出した無線アクセス装置識別情報が示す無線アクセス装置を呼び出し先の無線アクセス装置として決定することを特徴とする端末位置管理サーバ。
【請求項４】
請求項１に記載の端末位置管理サーバにおいて、
前記第１の読み出し部は、前記他の端末位置管理サーバから、前記端末の位置登録エリアを示すエリア情報の検索の要求があった場合、該端末が位置する位置登録エリアのエリア情報を前記エリア記憶部から読み出し、
前記送信部は、前記第１の読み出し部が読み出したエリア情報を前記他の端末位置管理サーバへ送信することを特徴とする端末位置管理サーバ。
【請求項５】
無線通信機能を持つ端末の位置を管理する端末位置管理サーバにおける端末位置検索方法であって、
前記端末から該端末以外の他の端末である呼び出し先端末を呼び出すために送信された呼び出し信号を受信した際、前記呼び出し先端末が位置登録した位置登録エリアを示すエリア情報を、前記エリア情報と該端末固有に付与された端末識別情報とを対応付けて記憶するエリア記憶部から読み出す読み出し処理と、
前記呼び出し先端末の端末識別情報と対応付けられたアクセスネットワークを示すアクセスネットワーク情報を、前記端末が属するアクセスネットワークを示すアクセスネットワーク情報と該端末の端末識別情報とを対応付けて記憶するネットワーク記憶部から読み出す処理と、
前記読み出したアクセスネットワーク情報が示すアクセスネットワークのうち、当該端末位置管理サーバが属するアクセスネットワーク以外のアクセスネットワークにて前記呼び出し先端末の位置を管理する他の端末位置管理サーバへ、前記呼び出し先端末の位置登録エリアの検索を要求する処理と、
前記読み出したエリア情報が示す位置登録エリアに配置された無線アクセス装置の第１の無線アクセス装置識別情報と、前記要求に対して送信されてきた位置登録エリアに配置された無線アクセス装置の第２の無線アクセス装置識別情報とを、当該端末位置管理サーバが属するアクセスネットワークと接続された無線アクセス装置固有に付与された無線アクセス装置識別情報と、当該端末位置管理サーバが属するアクセスネットワークおよびそれ以外のアクセスネットワークにて端末の位置を識別するためにあらかじめ区分けされた複数の位置登録エリアのうち、前記無線アクセス装置が配置されている位置登録エリアを示すエリア情報とを対応付けて記憶する装置記憶部から読み出す処理と、
前記読み出した第１および第２の無線アクセス装置識別情報のうち、互いに重複する無線アクセス装置識別情報が示す無線アクセス装置を呼び出し先の無線アクセス装置として決定する処理と、
前記決定した無線アクセス装置へ前記呼び出し信号を送信する処理とを有する端末位置検索方法。
【請求項６】
請求項５に記載の端末位置検索方法において、
前記ネットワーク記憶部に当該端末位置管理サーバが属するアクセスネットワークを示すアクセスネットワーク情報以外で前記呼び出し先端末の端末識別情報に対応するアクセスネットワーク情報が記憶されていない場合、前記読み出し処理にて読み出したエリア情報に応じた無線アクセス装置識別情報を前記装置記憶部から読み出す処理と、
該読み出した無線アクセス装置識別情報が示す無線アクセス装置を呼び出し先の無線アクセス装置として決定する処理とを有することを特徴とする端末位置検索方法。
【請求項７】
請求項５に記載の端末位置検索方法において、
前記他の端末位置管理サーバへ前記検索を要求してからの経過時間を計測する処理と、
前記計測した経過時間があらかじめ設定された時間を超えた場合、前記読み出し処理にて読み出したエリア情報に応じた無線アクセス装置識別情報を前記装置記憶部から読み出す処理と、
該読み出した無線アクセス装置識別情報が示す無線アクセス装置を呼び出し先の無線アクセス装置として決定する処理とを有することを特徴とする端末位置検索方法。
【請求項８】
請求項５に記載の端末位置検索方法において、
前記他の端末位置管理サーバから、前記端末の位置登録エリアを示すエリア情報の検索の要求があった場合、該端末が位置する位置登録エリアのエリア情報を前記エリア記憶部から読み出す処理と、
該読み出したエリア情報を前記他の端末位置管理サーバへ送信する処理とを有することを特徴とする端末位置検索方法。
【請求項９】
無線通信機能を持つ端末の位置を管理する端末位置管理サーバに、
前記端末から該端末以外の他の端末である呼び出し先端末を呼び出すために送信された呼び出し信号を受信した際、前記呼び出し先端末が位置登録した位置登録エリアを示すエリア情報を、前記エリア情報と該端末固有に付与された端末識別情報とを対応付けて記憶するエリア記憶部から読み出す読み出し手順と、
前記呼び出し先端末の端末識別情報と対応付けられたアクセスネットワークを示すアクセスネットワーク情報を、前記端末が属するアクセスネットワークを示すアクセスネットワーク情報と該端末の端末識別情報とを対応付けて記憶するネットワーク記憶部から読み出す手順と、
前記読み出したアクセスネットワーク情報が示すアクセスネットワークのうち、当該端末位置管理サーバが属するアクセスネットワーク以外のアクセスネットワークにて前記呼び出し先端末の位置を管理する他の端末位置管理サーバへ、前記呼び出し先端末の位置登録エリアの検索を要求する手順と、
前記読み出したエリア情報が示す位置登録エリアに配置された無線アクセス装置の第１の無線アクセス装置識別情報と、前記要求に対して送信されてきた位置登録エリアに配置された無線アクセス装置の第２の無線アクセス装置識別情報とを、当該端末位置管理サーバが属するアクセスネットワークと接続された無線アクセス装置固有に付与された無線アクセス装置識別情報と、当該端末位置管理サーバが属するアクセスネットワークおよびそれ以外のアクセスネットワークにて端末の位置を識別するためにあらかじめ区分けされた複数の位置登録エリアのうち、前記無線アクセス装置が配置されている位置登録エリアを示すエリア情報とを対応付けて記憶する装置記憶部から読み出す手順と、
前記読み出した第１および第２の無線アクセス装置識別情報のうち、互いに重複する無線アクセス装置識別情報が示す無線アクセス装置を呼び出し先の無線アクセス装置として決定する手順と、
前記決定した無線アクセス装置へ前記呼び出し信号を送信する手順とを実行させるためのプログラム。
【請求項１０】
請求項９に記載のプログラムにおいて、
前記ネットワーク記憶部に当該端末位置管理サーバが属するアクセスネットワークを示すアクセスネットワーク情報以外で前記呼び出し先端末の端末識別情報に対応するアクセスネットワーク情報が記憶されていない場合、前記読み出し手順にて読み出したエリア情報に応じた無線アクセス装置識別情報を前記装置記憶部から読み出す手順と、
該読み出した無線アクセス装置識別情報が示す無線アクセス装置を呼び出し先の無線アクセス装置として決定する手順とを実行させるためのプログラム。
【請求項１１】
請求項９に記載のプログラムにおいて、
前記他の端末位置管理サーバへ前記検索を要求してからの経過時間を計測する手順と、
前記計測した経過時間があらかじめ設定された時間を超えた場合、前記読み出し手順にて読み出したエリア情報に応じた無線アクセス装置識別情報を前記装置記憶部から読み出す手順と、
該読み出した無線アクセス装置識別情報が示す無線アクセス装置を呼び出し先の無線アクセス装置として決定する手順とを実行させるためのプログラム。
【請求項１２】
請求項９に記載のプログラムにおいて、
前記他の端末位置管理サーバから、前記端末の位置登録エリアを示すエリア情報の検索の要求があった場合、該端末が位置する位置登録エリアのエリア情報を前記エリア記憶部から読み出す手順と、
該読み出したエリア情報を前記他の端末位置管理サーバへ送信する手順とを実行させるためのプログラム。
【発明の詳細な説明】
【技術分野】
【０００１】
本発明は、無線通信を行う端末の位置を管理・検索する端末位置管理サーバ、端末位置検索方法およびプログラムに関する。
【背景技術】
【０００２】
携帯電話に代表される移動体通信システムは、今日の情報化社会において欠かすことのできない情報伝達手段となっている。移動体通信システムにおいて、移動体端末−無線基地局間で無線データの送受信が行われるが、無線基地局にてカバーできる通信エリア（セル）の大きさには限りがあるため、複数の無線基地局にて通信エリアを補い合うことにより、あらゆる場所での通信を可能としている。
【０００３】
また、ネットワーク側は、移動体端末の呼び出しを行うために、移動体端末の存在位置を常に把握する必要がある。移動体端末が端末自身の存在位置をネットワーク側に通知する手法として、移動体端末が端末自身の存在位置を把握し、ネットワーク側へ通知（位置登録）する手法が実施されている（例えば、特許文献１参照。）。
【０００４】
図９は、一般的な移動体通信システムの一形態を示す図である。
【０００５】
図９に示した形態は、端末位置管理サーバ１０００と、コアネットワーク３０００と、ＧＷ（ゲートウェイ）４０００−１，４０００−２と、無線アクセス装置５０００−１〜５０００−４と、端末６０００とから構成されている。ＧＷ４０００−１の配下に無線アクセス装置５０００−１，５０００−２が接続され、無線アクセス装置５０００−１，５０００−２がカバーするエリアが位置登録エリア７０００−１となっている。また、ＧＷ４０００−２の配下に無線アクセス装置５０００−３，５０００−４が接続され、無線アクセス装置５０００−３，５０００−４がカバーするエリアが位置登録エリア７０００−２となっている。
【０００６】
端末６０００は、移動体通信を行う利用者が所持する移動体端末である。
【０００７】
無線アクセス装置５０００−１〜５０００−４は、端末６０００との間で無線にて送受信するデータと、ネットワーク側との間で有線にて送受信するデータとの変換を行う。
【０００８】
ＧＷ４０００−１，４０００−２は、無線アクセス装置５０００−１〜５０００−４の制御、および無線アクセス装置５０００−１〜５０００−４とコアネットワーク３０００との間のルーティングを行う。
【０００９】
端末位置管理サーバ１０００は、端末６０００から登録された位置情報を記憶し、端末の呼び出し時に、端末が存在する位置登録エリア７０００−１，７０００−２に対して呼び出し（Ｐａｇｅ）を行う。
【００１０】
各位置登録エリア７０００−１，７０００−２は、複数の無線アクセス装置５０００−１〜５０００−４がカバーする通信エリア（セル）によりそれぞれ構成さている。また、各無線アクセス装置５０００−１〜５０００−４は、位置登録エリア７０００−１，７０００−２毎にユニークな報知情報をセル内の端末６０００に対して送信している。
【００１１】
以下に、図９に示すように、端末６０００が無線アクセス装置５０００−２がカバーするセルから無線アクセス装置５０００−３がカバーするエリアへ移動した場合を例に挙げて、その動作を説明する。
【００１２】
端末６０００は、無線アクセス装置５０００−２から送信された報知情報により端末６０００自身が存在する位置登録エリア７０００−１を把握している。
【００１３】
この状態で、位置登録エリアの変化（位置登録エリア７０００−１から位置登録エリア７０００−２への変化）を検出すると、無線アクセス装置５０００−３に対して位置登録要求を送信する。当該位置登録要求が、無線アクセス装置５０００−３とＧＷ４０００−２とを経由して位置管理サーバ１０００へ転送される。それにより、端末位置管理サーバ１０００は、端末６０００が存在する位置登録エリアを常時把握している。
【００１４】
図９に示した例では、位置登録エリア７０００−１にて無線アクセス装置５０００−２から送信された報知情報を受信していた端末６０００が、位置登録エリア７０００−２へ移動し、無線アクセス装置５０００−３から送信された報知情報を受信したことを契機に、端末６０００自身が異なる位置登録エリアに移動したことを認識し、無線アクセス装置５０００−３に対して位置登録を送信している。
【００１５】
また、端末６０００から他の端末（以下、呼び出し先端末）への呼び出しが発生すると、端末位置管理サーバ１０００は、呼び出し先端末が存在する位置登録エリア内の各無線アクセス装置（セル）に対して呼び出し信号（Ｐａｇｅ）を送信し、呼び出し先端末の応答により、詳細な呼び出し先端末の存在位置を認識し、通信が開始される。
【００１６】
近年、移動体通信サービスは、３Ｇ系のＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、ＩＥＥＥ系のＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＰＨＳ（Ｐｅｒｓｏｎａｌ  Ｈａｎｄｙ-ｐｈｏｎｅ  Ｓｙｓｔｅｍ）等、方式の異なるさまざまなアクセスネットワーク（ＡＮ）により提供されている。今後、これらのアクセスネットワークは各々が別のネットワークとして発展していくだけではなく、利用者が接続先のアクセスネットワークを意識することなく、各利用者のニーズや各アクセスネットワークのリソース状況に応じて、最適なアクセスネットワークを自動選択する技術が検討されている。
【先行技術文献】
【特許文献】
【００１７】
【特許文献１】国際公開第２００２／１０４０５３号パンフレット
【発明の概要】
【発明が解決しようとする課題】
【００１８】
しかしながら、上述したような自動アクセスネットワーク選択を実現する場合においては、以下の問題点がある。
【００１９】
移動体端末で、複数のアクセスネットワークを選択できるようにするためには、複数のアクセスネットワークで移動体端末の位置情報を個々に管理する必要がある。そのため、移動体端末がサポートする各々のアクセスネットワークにおいて、報知情報の監視と位置登録エリア変更時の位置登録とを実施しなければならない。この実施により、移動体端末、無線区間およびネットワークのリソースを消費してしまう。
【００２０】
そこで、位置登録の頻度を下げるために、位置登録エリアの大きさを広くすることが考えられる。
【００２１】
しかしながら、位置登録エリアを単純に広げてしまうと、移動体端末の位置を特定する精度が低くなってしまうという問題点がある。
【００２２】
本発明の目的は、上述した課題を解決する端末位置管理サーバ、端末位置検索方法およびプログラムを提供することである。
【課題を解決するための手段】
【００２３】
本発明の端末位置管理サーバは、
無線通信機能を持つ端末の位置を管理する端末位置管理サーバであって、
当該端末位置管理サーバが属するアクセスネットワークと接続された無線アクセス装置固有に付与された無線アクセス装置識別情報と、当該端末位置管理サーバが属するアクセスネットワークおよびそれ以外のアクセスネットワークにて端末の位置を識別するためにあらかじめ区分けされた複数の位置登録エリアのうち、前記無線アクセス装置が配置されている位置登録エリアを示すエリア情報とを対応付けて記憶する装置記憶部と、
前記端末が位置登録した前記位置登録エリアを示す前記エリア情報と該端末固有に付与された端末識別情報とを対応付けて記憶するエリア記憶部と、
前記端末が属するアクセスネットワークを示すアクセスネットワーク情報と該端末の端末識別情報とを対応付けて記憶するネットワーク記憶部と、
前記端末から該端末以外の他の端末である呼び出し先端末を呼び出すために送信された呼び出し信号を受信した際、前記呼び出し先端末のエリア情報を前記エリア記憶部から読み出す第１の読み出し部と、
前記呼び出し先端末の端末識別情報と対応付けられたアクセスネットワーク情報を前記ネットワーク記憶部から読み出す第２の読み出し部と、
前記第２の読み出し部が読み出したアクセスネットワーク情報が示すアクセスネットワークのうち、当該端末位置管理サーバが属するアクセスネットワーク以外のアクセスネットワークにて前記呼び出し先端末の位置を管理する他の端末位置管理サーバへ、前記呼び出し先端末の位置登録エリアの検索を要求する要求部と、
前記第１の読み出し部が読み出したエリア情報が示す位置登録エリアに配置された無線アクセス装置の第１の無線アクセス装置識別情報と、前記要求部の要求に対して送信されてきた位置登録エリアに配置された無線アクセス装置の第２の無線アクセス装置識別情報とを前記装置記憶部から読み出し、該読み出した第１および第２の無線アクセス装置識別情報のうち、互いに重複する無線アクセス装置識別情報が示す無線アクセス装置を呼び出し先の無線アクセス装置として決定する決定部と、
前記決定部が決定した無線アクセス装置へ前記呼び出し信号を送信する送信部とを有する。
【００２４】
また、本発明の端末位置検索方法は、
無線通信機能を持つ端末の位置を管理する端末位置管理サーバにおける端末位置検索方法であって、
前記端末から該端末以外の他の端末である呼び出し先端末を呼び出すために送信された呼び出し信号を受信した際、前記呼び出し先端末が位置登録した位置登録エリアを示すエリア情報を、前記エリア情報と該端末固有に付与された端末識別情報とを対応付けて記憶するエリア記憶部から読み出す読み出し処理と、
前記呼び出し先端末の端末識別情報と対応付けられたアクセスネットワークを示すアクセスネットワーク情報を、前記端末が属するアクセスネットワークを示すアクセスネットワーク情報と該端末の端末識別情報とを対応付けて記憶するネットワーク記憶部から読み出す処理と、
前記読み出したアクセスネットワーク情報が示すアクセスネットワークのうち、当該端末位置管理サーバが属するアクセスネットワーク以外のアクセスネットワークにて前記呼び出し先端末の位置を管理する他の端末位置管理サーバへ、前記呼び出し先端末の位置登録エリアの検索を要求する処理と、
前記読み出したエリア情報が示す位置登録エリアに配置された無線アクセス装置の第１の無線アクセス装置識別情報と、前記要求に対して送信されてきた位置登録エリアに配置された無線アクセス装置の第２の無線アクセス装置識別情報とを、当該端末位置管理サーバが属するアクセスネットワークと接続された無線アクセス装置固有に付与された無線アクセス装置識別情報と、当該端末位置管理サーバが属するアクセスネットワークおよびそれ以外のアクセスネットワークにて端末の位置を識別するためにあらかじめ区分けされた複数の位置登録エリアのうち、前記無線アクセス装置が配置されている位置登録エリアを示すエリア情報とを対応付けて記憶する装置記憶部から読み出す処理と、
前記読み出した第１および第２の無線アクセス装置識別情報のうち、互いに重複する無線アクセス装置識別情報が示す無線アクセス装置を呼び出し先の無線アクセス装置として決定する処理と、
前記決定した無線アクセス装置へ前記呼び出し信号を送信する処理とを有する。
【００２５】
また、本発明のプログラムは、
無線通信機能を持つ端末の位置を管理する端末位置管理サーバに実行させるためのプログラムであって、
前記端末から該端末以外の他の端末である呼び出し先端末を呼び出すために送信された呼び出し信号を受信した際、前記呼び出し先端末が位置登録した位置登録エリアを示すエリア情報を、前記エリア情報と該端末固有に付与された端末識別情報とを対応付けて記憶するエリア記憶部から読み出す読み出し手順と、
前記呼び出し先端末の端末識別情報と対応付けられたアクセスネットワークを示すアクセスネットワーク情報を、前記端末が属するアクセスネットワークを示すアクセスネットワーク情報と該端末の端末識別情報とを対応付けて記憶するネットワーク記憶部から読み出す手順と、
前記読み出したアクセスネットワーク情報が示すアクセスネットワークのうち、当該端末位置管理サーバが属するアクセスネットワーク以外のアクセスネットワークにて前記呼び出し先端末の位置を管理する他の端末位置管理サーバへ、前記呼び出し先端末の位置登録エリアの検索を要求する手順と、
前記読み出したエリア情報が示す位置登録エリアに配置された無線アクセス装置の第１の無線アクセス装置識別情報と、前記要求に対して送信されてきた位置登録エリアに配置された無線アクセス装置の第２の無線アクセス装置識別情報とを、当該端末位置管理サーバが属するアクセスネットワークと接続された無線アクセス装置固有に付与された無線アクセス装置識別情報と、当該端末位置管理サーバが属するアクセスネットワークおよびそれ以外のアクセスネットワークにて端末の位置を識別するためにあらかじめ区分けされた複数の位置登録エリアのうち、前記無線アクセス装置が配置されている位置登録エリアを示すエリア情報とを対応付けて記憶する装置記憶部から読み出す手順と、
前記読み出した第１および第２の無線アクセス装置識別情報のうち、互いに重複する無線アクセス装置識別情報が示す無線アクセス装置を呼び出し先の無線アクセス装置として決定する手順と、
前記決定した無線アクセス装置へ前記呼び出し信号を送信する手順とを実行させる。
【発明の効果】
【００２６】
以上説明したように、本発明においては、移動体端末の位置を特定する精度を下げることなく、位置登録エリアを広げることができる。
【図面の簡単な説明】
【００２７】
【図１】本発明の端末位置管理サーバが設けられた移動通信システムの実施の一形態を示す図である。
【図２】図１に示した端末位置管理サーバの内部構成の一例を示す図である。
【図３】図２に示した装置記憶部に記憶されている対応付けの一例を示す図である。
【図４】端末が位置登録する位置登録エリア内の無線アクセス装置の配置の一例を示す図である。
【図５】図２に示したエリア記憶部に記憶されている対応付けの一例を示す図である。
【図６】図２に示したネットワーク記憶部に記憶されている対応付けの一例を示す図である。
【図７】本形態における端末位置検索方法のうち、図２に示した端末位置管理サーバにおける処理を説明するためのフローチャートである。
【図８】本形態における端末位置検索方法を説明するためのシーケンス図である。
【図９】一般的な移動体通信システムの一形態を示す図である。
【発明を実施するための形態】
【００２８】
以下に、本発明の実施の形態について図面を参照して説明する。
【００２９】
図１は、本発明の端末位置管理サーバが設けられた移動通信システムの実施の一形態を示す図である。
【００３０】
本形態における移動通信システムには、端末位置管理サーバ１００−１，１００−２と、アクセスネットワーク２００−１，２００−２と、コアネットワーク３００と、アクセス制御装置４００−１，４００−２と、無線アクセス装置５０１−１，５０１−２，５０２−１〜５０２−３とが設けられている。また、端末６００が、無線アクセス装置５０１−１，５０１−２，５０２−１〜５０２−３と通信可能に存在する。また、コアネットワーク３００と、アクセスネットワーク２００−１，２００−２とがそれぞれ接続されている。また、アクセスネットワーク２００−１に、端末位置管理サーバ１００−１と、アクセス制御装置４００−１とが属しており、アクセス制御装置４００−１の配下に無線アクセス装置５０１−１，５０１−２が接続されている。また、アクセスネットワーク２００−２に、端末位置管理サーバ１００−２と、アクセス制御装置４００−２とが属しており、アクセス制御装置４００−２の配下に無線アクセス装置５０２−１〜５０２−３が接続されている。また、無線アクセス装置５０１−１，５０１−２がカバーする通信エリア（セル）が位置登録エリア７００−１となっている。つまり、位置登録エリア７００−１は、アクセスネットワーク２００−１における位置登録エリアである。また、無線アクセス装置５０２−１〜５０２−３がカバーする通信エリア（セル）が位置登録エリア７００−２となっている。つまり、位置登録エリア７００−２は、アクセスネットワーク２００−２における位置登録エリアである。
【００３１】
アクセスネットワーク２００−１，２００−２は、互いに異なる通信方式を持つネットワークである。
【００３２】
端末位置管理サーバ１００−１，１００−２は、アクセスネットワーク２００−１，２００−２それぞれに属し、アクセスネットワーク２００−１，２００−２それぞれに属する端末から登録された位置情報（位置登録エリア）を記憶し、その位置登録エリアを管理する。また、端末位置管理サーバ１００−１，１００−２は、端末の呼び出し時に、端末が存在する位置登録エリアに対して呼び出し（Ｐａｇｅ）を行う。
【００３３】
アクセス制御装置４００−１，４００−２は、アクセスネットワーク２００−１，２００−２それぞれに属し、アクセスネットワーク２００−１，２００−２それぞれに属する無線アクセス装置を制御する。
【００３４】
無線アクセス装置５０１−１，５０１−２は、端末６００との間で無線にて送受信するデータと、アクセスネットワーク２００−１側との間で有線にて送受信するデータとの変換を行う。また、無線アクセス装置５０２−１〜５０２−３は、端末６００との間で無線にて送受信するデータと、アクセスネットワーク２００−２側との間で有線にて送受信するデータとの変換を行う。
【００３５】
端末６００は、移動体通信を行う利用者が所持する移動体端末である。
【００３６】
図２は、図１に示した端末位置管理サーバ１００−１の内部構成の一例を示す図である。なお、端末位置管理サーバ１００−２の内部構成は、端末位置管理サーバ１００−１の内部構成と同じである。
【００３７】
図１に示した端末位置管理サーバ１００−１には図２に示すように、装置記憶部１０１と、エリア記憶部１０２と、ネットワーク記憶部１０３と、読み出し部１１１，１１２と、要求部１２１と、決定部１２２と、送信部１２３と、タイマ１２４と、インタフェース部１２５とが設けられている。なお、図２には、図１に示した端末位置管理サーバ１００−１が具備する構成要素のうち、本発明に係わる構成要素のみを示した。
【００３８】
装置記憶部１０１は、端末位置管理サーバ１００−１が属するアクセスネットワーク２００−１と接続された無線アクセス装置５０１−１，５０１−２固有に付与された無線アクセス装置識別情報と、アクセスネットワーク２００−１およびそれ以外のアクセスネットワーク２００−２にて端末の位置を識別するためにあらかじめ区分けされた複数の位置登録エリア７００−１，７００−２のうち、無線アクセス装置５０１−１，５０１−２が配置されている位置登録エリアを示すエリア情報とを対応付けて記憶する装置記憶部である。
【００３９】
図３は、図２に示した装置記憶部１０１に記憶されている対応付けの一例を示す図である。
【００４０】
図２に示した装置記憶部１０１には図３に示すように、位置登録エリアを示すエリア情報と無線アクセス装置固有に付与された無線アクセス装置識別情報とがあらかじめ対応付けられて記憶されている。ここで、図３に示したエリア情報および無線アクセス装置識別情報について、具体的に説明する。
【００４１】
図４は、端末が位置登録する位置登録エリア内の無線アクセス装置の配置の一例を示す図である。
【００４２】
図４では、図１に示したアクセスネットワーク２００−１の位置登録エリアを示すエリア情報をＡ−１〜Ａ−１２とし、図１に示したアクセスネットワーク２００−２の位置登録エリアを示すエリア情報をＢ−１〜Ｂ−５としている。また、アクセスネットワーク２００−１と接続された無線アクセス装置（黒く塗りつぶした正方形で示す）を示す無線アクセス装置識別情報を（１）〜（３２）としている。なお、アクセスネットワーク２００−２と接続された無線アクセス装置も配置されているが、図４では図示していない。また、図４では、エリア情報Ａ−１〜Ａ−１２の位置登録エリアの形を方形、エリア情報Ｂ−１〜Ｂ−５の位置登録エリアの形を円形として示しているが、これらは説明の便宜上、このように示しただけであり、実際の位置登録エリアの形とは異なる。
【００４３】
図４に示したような位置登録エリアに無線アクセス装置が配置されている場合、図２に示した装置記憶部１０１には図３に示すように、エリア情報Ａ−５と無線アクセス装置識別情報１７〜２０とが対応付けて記憶される。これは、エリア情報がＡ−５である位置登録エリアには、無線アクセス装置識別情報が１７〜２０である無線アクセス装置が配置されていることを示している。また、エリア情報Ａ−６と無線アクセス装置識別情報２１〜２４とが対応付けて記憶される。これは、エリア情報がＡ−６である位置登録エリアには、無線アクセス装置識別情報が２１〜２４である無線アクセス装置が配置されていることを示している。また、エリア情報Ａ−７と無線アクセス装置識別情報２５〜２８とが対応付けて記憶される。これは、エリア情報がＡ−７である位置登録エリアには、無線アクセス装置識別情報が２５〜２８である無線アクセス装置が配置されていることを示している。また、エリア情報Ａ−８と無線アクセス装置識別情報２９〜３２とが対応付けて記憶される。これは、エリア情報がＡ−８である位置登録エリアには、無線アクセス装置識別情報が２９〜３２である無線アクセス装置が配置されていることを示している。また、エリア情報Ｂ−３と無線アクセス装置識別情報１９，２０，２３とが対応付けて記憶される。これは、エリア情報がＢ−３である位置登録エリアには、無線アクセス装置識別情報が１９，２０，２３である無線アクセス装置が配置されていることを示している。また、エリア情報Ｂ−４と無線アクセス装置識別情報２４，２７，２８とが対応付けて記憶される。これは、エリア情報がＢ−４である位置登録エリアには、無線アクセス装置識別情報が２４，２７，２８である無線アクセス装置が配置されていることを示している。また、エリア情報Ｂ−５と無線アクセス装置識別情報３１，３２とが対応付けて記憶される。これは、エリア情報がＢ−５である位置登録エリアには、無線アクセス装置識別情報が３１，３２である無線アクセス装置が配置されていることを示している。
【００４４】
なお、複数の無線アクセス装置を１つの無線アクセス装置群として、当該無線アクセス装置群固有に識別情報を付与し、同じように記憶するものであっても良い。
【００４５】
エリア記憶部１０２は、端末６００が位置登録した位置登録エリアを示すエリア情報と端末６００固有に付与された端末識別情報とを対応付けて記憶するエリア記憶部である。エリア記憶部１０２は、通常の端末の位置登録に用いられるものであっても良い。
【００４６】
図５は、図２に示したエリア記憶部１０２に記憶されている対応付けの一例を示す図である。
【００４７】
図２に示したエリア記憶部１０２は図５に示すように、端末固有に付与された端末識別情報と、図３を用いて説明したエリア情報とが対応付けられて記憶されている。これは、端末からの位置登録により、記憶されるものである。
【００４８】
例えば、端末識別情報ａａａとエリア情報Ａ−１とが対応付けられて記憶されている。これは、端末識別情報ａａａが付与された端末から登録された当該端末の位置登録エリアを示すエリア情報がＡ−１であることを示している。また、端末識別情報ｂｂｂとエリア情報Ａ−６とが対応付けられて記憶されている。これは、端末識別情報ｂｂｂが付与された端末から登録された当該端末の位置登録エリアを示すエリア情報がＡ−６であることを示している。
【００４９】
ネットワーク記憶部１０３は、端末６００が属するアクセスネットワークを示すアクセスネットワーク情報と端末６００の端末識別情報とを対応付けて記憶するネットワーク記憶部である。
【００５０】
図６は、図２に示したネットワーク記憶部１０３に記憶されている対応付けの一例を示す図である。
【００５１】
図２に示したネットワーク記憶部１０３には図６に示すように、図５を用いて説明した端末識別情報と、当該端末識別情報が付与された端末が属するアクセスネットワークを示すアクセスネットワーク情報とが対応付けられて記憶されている。
【００５２】
例えば、端末識別情報ａａａとアクセスネットワーク情報Ａとが対応付けられて記憶されている。これは、端末識別情報ａａａはアクセスネットワーク情報がＡであるアクセスネットワークに属していることを示している。また、端末識別情報ｂｂｂとアクセスネットワーク情報Ａ，Ｂとが対応付けられて記憶されている。これは、端末識別情報ｂｂｂはアクセスネットワーク情報がＡであるアクセスネットワークおよびアクセスネットワーク情報がＢであるアクセスネットワークに属していることを示している。
【００５３】
読み出し部１１１は、端末６００から端末６００以外の他の端末（以下、呼び出し先端末と称する）を呼び出すために送信された呼び出し信号を受信した際、呼び出し先端末のエリア情報をエリア記憶部１０２から読み出す第１の読み出し部である。また、読み出し部１１１は、端末位置管理サーバ１００−２から、端末識別情報を用いて指定した端末の位置登録エリアを示すエリア情報の検索の要求があった場合、端末が位置する位置登録エリアのエリア情報をエリア記憶部１０２から読み出す。
【００５４】
読み出し部１１２は、呼び出し先端末の端末識別情報と対応付けられたアクセスネットワーク情報をネットワーク記憶部１０３から読み出す第２の読み出し部である。
【００５５】
要求部１２１は、読み出し部１１２が読み出したアクセスネットワーク情報が示すアクセスネットワークのうち端末位置管理サーバ１００−１が属するアクセスネットワーク２００−１以外のアクセスネットワーク２００−２にて呼び出し先端末の位置を管理する端末位置管理サーバ１００−２へ、呼び出し先端末の位置登録エリアの検索を要求する。
【００５６】
決定部１２２は、読み出し部１１１が読み出したエリア情報が示す位置登録エリアに配置された無線アクセス装置の第１の無線アクセス装置識別情報を装置記憶部１０１から読み出す。また、決定部１２２は、要求部１２１の要求に対して端末位置管理サーバ１００−２から送信されてきた位置登録エリアに配置された無線アクセス装置の第２の無線アクセス装置識別情報を装置記憶部１０１から読み出す。そして、決定部１２２は、第１および第２の無線アクセス装置識別情報のうち、互いに重複した無線アクセス装置識別情報が示す無線アクセス装置を呼び出し先の無線アクセス装置として決定する。また、決定部１２２は、ネットワーク記憶部１０３に端末位置管理サーバ１００−１が属するアクセスネットワーク２００−１を示すアクセスネットワーク情報以外で呼び出し先端末の端末識別情報に対応するアクセスネットワーク情報が記憶されていない場合、読み出し部１１１が読み出したエリア情報に応じた無線アクセス装置識別情報を装置記憶部１０１から読み出し、読み出した無線アクセス装置識別情報が示す無線アクセス装置を呼び出し先の無線アクセス装置として決定する。また、決定部１２２は、タイマ１２４が計測した経過時間があらかじめ設定された時間を超えた場合、読み出し部１１１がエリア記憶部１０２から読み出したエリア情報に応じた無線アクセス装置識別情報を装置記憶部１０１から読み出し、読み出した無線アクセス装置識別情報が示す無線アクセス装置を呼び出し先の無線アクセス装置として決定する。
【００５７】
送信部１２３は、決定部１２２が決定した無線アクセス装置へ呼び出し信号（Ｐａｇｅ）をインタフェース部１２５を介して送信する。また、送信部１２３は、端末位置管理サーバ１００−２から、端末の位置登録エリアを示すエリア情報の検索の要求があった場合、読み出し部１１１がエリア記憶部１０２から読み出したエリア情報をインタフェース部１２５を介して端末位置管理サーバ１００−２へ送信する。
【００５８】
タイマ１２４は、要求部１２１が端末位置管理サーバ１００−２へ検索を要求してからの経過時間を計測する。
【００５９】
インタフェース部１２５は、外部とのインタフェース機能を有する。
【００６０】
なお、本発明においては、端末による位置登録動作が必須となるが、この動作については、一般的に行われているものと同じであれば良い。例えば、位置登録エリアが互いに異なるエリアに端末が移動したことを契機にして、当該端末から端末位置管理サーバへ位置登録が行われる。
【００６１】
以下に、本形態における端末位置検索方法について説明する。まずは、図２に示した端末位置管理サーバ１００−１における処理について説明する。
【００６２】
図７は、本形態における端末位置検索方法のうち、図２に示した端末位置管理サーバ１００−１における処理を説明するためのフローチャートである。
【００６３】
まず、端末から送信された呼び出し信号が受信されると、当該呼び出し先の端末の位置登録エリアを示すエリア情報が読み出し部１１１によってエリア記憶部１０２から読み出される（ステップＳ１）。具体的には、呼び出し先端末に付与された端末識別情報と対応付けられたエリア情報がエリア記憶部１０２から読み出される。
【００６４】
また、呼び出し先端末が属するアクセスネットワークを示すアクセスネットワーク情報が読み出し部１１２によってネットワーク記憶部１０３から読み出される（ステップＳ２）。具体的には、呼び出し先端末に付与された端末識別情報と対応付けられたアクセスネットワーク情報がネットワーク記憶部１０３から読み出される。
【００６５】
すると、読み出し部１１２によってネットワーク記憶部１０３から読み出されたアクセスネットワーク情報に基づいて、呼び出し先端末が他のアクセスネットワークに属するかどうかが読み出し部１１２によって判断される（ステップＳ３）。具体的には、ステップＳ２にて読み出されたアクセスネットワーク情報に、アクセスネットワーク２００−１以外のアクセスネットワークを示すアクセスネットワーク情報が呼び出し先端末の端末識別情報と対応付けられているものがあるかどうかによって判断される。つまり、ステップＳ２にて読み出されたアクセスネットワーク情報に、アクセスネットワーク２００−１以外のアクセスネットワークを示すアクセスネットワーク情報が呼び出し先端末の端末識別情報と対応付けられているものがある場合、呼び出し先端末が他のアクセスネットワークに属すると判断されるものである。
【００６６】
ステップＳ３にて、呼び出し先端末が他のアクセスネットワークに属すると判断された場合、要求部１２１によってインタフェース部１２５を介して当該他のアクセスネットワークに属する端末位置管理サーバへ呼び出し先端末の位置登録エリアの検索が要求される（ステップＳ４）。例えば、他のアクセスネットワークが図１に示したアクセスネットワーク２００−２である場合、端末位置管理サーバ１００−２へ呼び出し先端末の位置登録エリアの検索が要求される。
【００６７】
また、その要求と同時に、タイマ１２４が起動する（ステップＳ５）。起動後、タイマ１２４は経過時間を計測する。
【００６８】
タイマ１２４が計測した経過時間があらかじめ設定された時間内で、要求部１２１からの要求に対して端末位置管理サーバ１００−２から位置登録エリアを示すエリア情報が送信されてきた場合（ステップＳ６のＹｅｓ）、ステップＳ１にて読み出し部１１１がエリア記憶部１０２から読み出したエリア情報が示す位置登録エリアに配置された無線アクセス装置の第１の無線アクセス装置識別情報が決定部１２２によって装置記憶部１０１から読み出される。また、要求部１２１からの要求に対して端末位置管理サーバ１００−２から送信されてきたエリア情報が示す位置登録エリアに配置された無線アクセス装置の第２の無線アクセス装置識別情報が決定部１２２によって装置記憶部１０１から読み出される。そして、決定部１２２にて、第１および第２の無線アクセス装置識別情報のうち、互いに重複する無線アクセス装置識別情報が示す無線アクセス装置が呼び出し先の無線アクセス装置として決定される（ステップＳ７）。また、このとき、タイマ１２４は経過時間の計測を停止する。
【００６９】
例えば、図４に示した例を用いて説明すると、ステップＳ１にて読み出し部１１１がエリア記憶部１０２から読み出したエリア情報がＡ−６である場合、エリア情報Ａ−６の位置登録エリアに配置された無線アクセス装置の無線アクセス装置識別情報２１〜２４が装置記憶部１０１から読み出される。また、要求部１２１からの要求に対して端末位置管理サーバ１００−２から送信されてきたエリア情報がＢ−３である場合、エリア情報Ｂ−３の位置登録エリアに配置された無線アクセス装置の無線アクセス装置識別情報１９，２０，２３が装置記憶部１０１から読み出される。そして、それぞれが互いに重複した無線アクセス装置識別情報の無線アクセス装置２３が呼び出し先の無線アクセス装置として決定される。
【００７０】
すると、送信部１２３からインタフェース部１２５を介して、決定された無線アクセス装置へ呼び出し信号（Ｐａｇｅ）が送信される（ステップＳ８）。
【００７１】
一方、ステップＳ３にて、呼び出し先端末が他のアクセスネットワークに属さないと判断された場合、または、ステップＳ６にて、タイマ１２４が計測した経過時間があらかじめ設定された時間内で、要求部１２１からの要求に対して端末位置管理サーバ１００−２から位置登録エリアを示すエリア情報が送信されてこなかった場合（タイマ１２４が計測した経過時間があらかじめ設定された時間を超えた場合）、ステップＳ１にて読み出し部１１１がエリア記憶部１０２から読み出したエリア情報が示す位置登録エリアに配置された無線アクセス装置の無線アクセス装置識別情報が決定部１２２によって装置記憶部１０１から読み出され、読み出された無線アクセス装置識別情報の無線アクセス装置が呼び出し先の無線アクセス装置として決定される（ステップＳ９）。
【００７２】
次に、本形態における端末位置検索方法について説明する。
【００７３】
図８は、本形態における端末位置検索方法を説明するためのシーケンス図である。ここで、端末ａａａが端末ｂｂｂを呼び出す場合であり、サーバＡが図４に示したエリア情報Ａ−１〜Ａ−１２の位置登録エリアを持つアクセスネットワークＡに属する端末位置管理サーバであり、サーバＢが図４に示したエリア情報Ｂ−１〜Ｂ−５の位置登録エリアを持つアクセスネットワークＢに属する端末位置管理サーバであり、図２に示した装置記憶部１０１、エリア記憶部１０２およびネットワーク記憶部１０３には図３、図５および図６の対応付けがそれぞれ記憶されている場合を例に挙げて説明する。
【００７４】
端末ａａａからサーバＡへ端末ｂｂｂの呼び出し信号が送信されると（ステップＳ１１）、端末ｂｂｂの位置登録エリアがサーバＡにて検索される（ステップＳ１２）。この検索は、図２に示した読み出し部１１１によってエリア記憶部１０２からエリア情報が読み出されることで実現される。図２に示したエリア記憶部１０２には図５に示した対応付けが記憶されているため、エリア情報Ａ−６が読み出される。
【００７５】
そして、端末ｂｂｂが他のアクセスネットワークに属するかどうかが判断される。これは、図２に示した読み出し部１１２によってネットワーク記憶部１０３から端末ｂｂｂが属するアクセスネットワーク情報が読み出されることで実現される。図２に示したネットワーク記憶部１０３には図６に示した対応付けが記憶されているため、アクセスネットワーク情報Ａ以外のアクセスネットワーク情報Ｂが読み出される。
【００７６】
すると、アクセスネットワーク情報Ｂのアクセスネットワークに属するサーバＢへサーバＡから、端末ｂｂｂの位置登録の検索が要求される（ステップＳ１３）。
【００７７】
サーバＡからの要求に対して、サーバＢにて端末ｂｂｂの位置登録エリアを示すエリア情報がＢ−３であることが検索されると（ステップＳ１４）、サーバＢから検索応答として、エリア情報Ｂ−３がサーバＡへ送信される（ステップＳ１５）。
【００７８】
すると、サーバＡにて、ステップＳ１２にて検索されたエリア情報Ａ−６に配置されている無線アクセス装置の第１の無線アクセス装置識別情報が決定部１２２によって装置記憶部１０１から読み出される。ここでは、図３に示した対応付けが装置記憶部１０１に記憶されているため、エリア情報Ａ−６と対応付けられた無線アクセス装置識別情報２１〜２４が読み出される。
【００７９】
また、サーバＢから送信されてきたエリア情報Ｂ−３に配置されている無線アクセス装置の第２の無線アクセス装置識別情報が決定部１２２によって装置記憶部１０１から読み出される。ここでは、図３に示した対応付けが装置記憶部１０１に記憶されているため、エリア情報Ｂ−３と対応付けられた無線アクセス装置識別情報１９，２０，２３が読み出される。
【００８０】
そして、読み出された第１および第２の無線アクセス装置識別情報のうち、互いに重複する無線アクセス装置識別情報の無線アクセス装置が、当該呼び出し信号の送信先の無線アクセス装置として決定される（ステップＳ１６）。ここでは、無線アクセス装置識別情報２１〜２４と、無線アクセス装置識別情報１９，２０，２３とで、重複している無線アクセス装置識別情報は「２３」となるため、無線アクセス装置識別情報２３の無線アクセス装置が当該呼び出し信号の送信先の無線アクセス装置として決定される。
【００８１】
そして、無線アクセス装置として決定された無線アクセス装置識別情報２３の無線アクセス装置へ呼び出し信号（Ｐａｇｅ）がサーバＡの送信部１２３から送信される（ステップＳ１７）。
【００８２】
すると、無線アクセス装置２３から端末ｂｂｂへ呼び出し信号が送信され（ステップＳ１８）、端末ｂｂｂから無線アクセス装置２３へその応答である呼び出し応答が送信され（ステップＳ１９）、無線アクセス装置２３からサーバＡへ呼び出し応答信号が送信される（ステップＳ２０）。
【００８３】
このように、本発明においては、移動体端末と複数のアクセスネットワークとの接続が可能なネットワークにおいて、移動体端末が属する各アクセスネットワークの位置登録情報のうちの、全てまたは複数の位置登録情報を参照・総合判断し、移動体端末の存在位置を絞り込むことにより、呼び出し信号（Ｐａｇｅ）の送信先を絞り込むことを特徴としている。これにより、本発明を適用した場合、ネットワークに対するＰａｇｅ信号負荷を抑制することが可能となる。
【００８４】
また、呼び出し信号（Ｐａｇｅ）の送信先を絞り込むことにより、位置登録エリアを大きくすることが可能となり、移動体端末の位置登録契機を削減することが可能となる。
【００８５】
また、上述した形態では、呼び出しに使用するアクセスネットワークの位置登録サーバ主導にて呼び出し対象範囲を決定しているが、主導となるアクセスネットワークの決定方法としては、アクセスネットワークのカバーエリア等に応じて予め優先順位をつける、呼び出し対象範囲決定専用のサーバを設定する等の動作も考えられる。
【００８６】
また、上述した動作は、移動体端末が互いに通信方式が異なる２つのアクセスネットワークに属する場合の動作例だが、３つ以上のアクセスネットワークに属する場合は、アクセスネットワーク数分の１登録サーバを参照して呼び出し対象範囲を決定する方法も考えられる。その際、位置検索要求の実施優先順位／実施有無をアクセスネットワークのカバーエリアにより判断する方法が考えられる。
【００８７】
以上説明したように、本発明においては、以下に示す効果を奏する。
【００８８】
呼び出し先の移動体端末が、互いに通信方式が異なる複数のアクセスネットワークに属する場合は、各アクセスネットワークの持つ位置情報から総合的に移動体端末の存在位置を特定するため、Ｐａｇｉｎｇ負荷が抑制される。この効果の度合いは、各アクセスネットワークの位置登録エリアの構成に依存するが、アクセスネットワーク間で位置登録エリアに相関関係がないと仮定すると、確率的にＰａｇｅ送信量（＝移動体端末存在範囲）は１／（２＾（ｎ−１））(ｎは移動体端末が属するアクセスネットワーク数)程度になると考えられる。
【００８９】
また、上記によりＰａｇｅ送信量が削減されることを期待して位置登録エリアを大きく設定した場合、Ｐａｇｅ送信量は上記削減効果と位置登録エリア拡大に伴う増加により相殺されるが、この場合は、位置登録エリア拡大による移動体端末の位置登録送信契機の削減効果が得られる。
【００９０】
上述した端末位置管理サーバ１００−１，１００−２に設けられた各構成要素が行う処理は、目的に応じてそれぞれ作製された論理回路で行うようにしても良い。また、処理内容を記述したプログラムを端末位置管理サーバ１００−１，１００−２にて読取可能な記録媒体に記録し、この記録媒体に記録されたプログラムを端末位置管理サーバ１００−１，１００−２に読み込ませ、実行するものであっても良い。端末位置管理サーバ１００−１，１００−２にて読取可能な記録媒体とは、フロッピー（登録商標）ディスク、光磁気ディスク、ＤＶＤ、ＣＤなどの移設可能な記録媒体の他、端末位置管理サーバ１００−１，１００−２に内蔵されたＲＯＭ、ＲＡＭ等のメモリやＨＤＤ等を指す。この記録媒体に記録されたプログラムは、端末位置管理サーバ１００−１，１００−２に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００９１】
１００−１，１００−２    端末位置管理サーバ
１０１    装置記憶部
１０２    エリア記憶部
１０３    ネットワーク記憶部
１１１，１１２    読み出し部
１２１    要求部
１２２    決定部
１２３    送信部
１２４    タイマ
１２５    インタフェース部
２００−１，２００−２    アクセスネットワーク
３００    コアネットワーク
４００−１，４００−２    アクセス制御装置
５０１−１，５０１−２，５０２−１，５０２−２，５０２−３    無線アクセス装置
６００    端末
７００−１，７００−２    位置登録エリア
【図１】
2011109569.tif 000003
【図２】
2011109569.tif 000004
【図３】
2011109569.tif 000005
【図４】
2011109569.tif 000006
【図５】
2011109569.tif 000007
【図６】
2011109569.tif 000008
【図７】
2011109569.tif 000009
【図８】
2011109569.tif 000010
【図９】
2011109569.tif 000011